(57)【要約】【課題】切り換え制御用スイッチが搭載された制御基板を両面から覆うためのベース部材及びカバー部材を備えた、ヘッドセット装置用リモコン部の筐体構造に関し、リモコン部の製造コストを低減できるヘッドセット装置用リモコン部の筐体構造を実現する。【解決手段】ベース部材１０とカバー部材２０とが、折曲可能な第１の薄肉ヒンジ部５０でもって一体につながれるとともに、ベース部材１０及びカバー部材２０の何れか一方の部材と押釦部材３０とが、折曲可能な第２の薄肉ヒンジ部６０でもって一体につながれた状態の一部品として、ベース部材１０とカバー部材２０と押釦部材３０とを一体に形成し、ベース部材１０とカバー部材２０とを第１の係止爪１１，１２にて折り畳み状態に保持し、ベース部材１０及びカバー部材２０の何れか一方の部材と押釦部材３０とを第２の係止爪３２にて遊びを持たせた折り畳み状態に保持する。【選択図】図１
2013093153.tif 000002
【特許請求の範囲】
【請求項１】
切り換え制御用スイッチが搭載された制御基板を両面から覆うためのベース部材及びカバー部材を備えた、ヘッドセット装置用リモコン部の筐体構造であって、
前記ベース部材及び前記カバー部材の何れか一方には、前記切り換え制御用スイッチに対向する位置に開口部が設けられ、押釦部材が、該開口部を通して外側から前記切り換え制御用スイッチを押下可能に配置され、
前記ベース部材と前記カバー部材とが、折曲可能な第１の薄肉ヒンジ部でもって一体につながれるとともに、前記ベース部材及び前記カバー部材の何れか一方の部材と前記押釦部材とが、折曲可能な第２の薄肉ヒンジ部でもって一体につながれた状態の一部品として、前記ベース部材と前記カバー部材と前記押釦部材とが一体に形成され、
前記ベース部材と前記カバー部材とは第１の係止爪にて折り畳み状態に保持され、前記ベース部材及び前記カバー部材の何れか一方の部材と前記押釦部材とは第２の係止爪にて折り畳み状態に保持され、
前記第２の係止爪は、前記第２の薄肉ヒンジ部の弾性力でもって前記押釦部材が前記切り換え制御用スイッチから離れたオフ位置と、前記押釦部材が前記切り換え制御用スイッチを押下したオン位置との間で、前記押釦部材が移動することを許容する、ヘッドセット装置用リモコン部の筐体構造。
【請求項２】
前記ベース部材と前記カバー部材とは直線近似の基本形状が等脚台形であり、等脚台形の下底部分に、前記ベース部材と前記カバー部材とをつなぐ前記第１の薄肉ヒンジ部が形成され、上底部分に、前記ベース部材及び前記カバー部材の何れか一方の部材と前記押釦部材とをつなぐ前記第２の薄肉ヒンジ部が形成され、前記ベース部材及び前記カバー部材の何れか一方の部材の脚部分に、前記ベース部材と前記カバー部材とを係止する前記第１の係止爪が形成され、
さらに、携帯端末装置に接続されるプラグが先端側に設けられた第１のコードと、イヤホンが先端側に設けられた第２のコードとを通すための挿通溝が、下底部分に沿って形成されていることを特徴とする請求項１記載のヘッドセット装置用リモコン部の筐体構造。
【請求項３】
切り換え制御用スイッチが搭載された制御基板を両面から覆うためのベース部材及びカバー部材を備えた、ヘッドセット装置用リモコン部の筐体構造であって、
前記前記カバー部材には、前記切り換え制御用スイッチに対向する位置に押釦部が設けられ、
前記ベース部材と前記カバー部材とが、折曲可能な第１の薄肉ヒンジ部でもって一体につながれた状態の一部品として、前記ベース部材と前記カバー部材とが一体に形成され、
前記ベース部材と前記カバー部材とは第１の係止爪にて折り畳み状態に保持され、
該第１の係止爪は、前記第１の薄肉ヒンジ部の弾性力でもって前記カバー部材の押釦部が前記切り換え制御用スイッチから離れたオフ位置と、前記カバー部材の押釦部が前記切り換え制御用スイッチを押下したオン位置との間で、前記カバー部材が移動することを許容する、ヘッドセット装置用リモコン部の筐体構造。
【請求項４】
前記ベース部材と前記カバー部材とは直線近似の基本形状が等脚台形であり、下底部分に、前記ベース部材と前記カバー部材とをつなぐ前記第１の薄肉ヒンジ部が形成され、前記ベース部材及び前記カバー部材の何れか一方の部材の上底部分及び脚部分に、前記ベース部材と前記カバー部材とを係止する前記第１の係止爪が形成され、
さらに、携帯端末装置に接続されるプラグが先端側に設けられた第１のコードと、イヤホンが先端側に設けられた第２のコードとを通すための挿通溝が、下底部分に沿って形成されていることを特徴とする請求項３記載のヘッドセット装置用リモコン部の筐体構造。
【請求項５】
一方の面に前記切り換え制御用スイッチが実装されるとともに他方の面にはマイクロホンが実装された制御基板を、収納対象の前記制御基板とし、前記ベース部材又は前記カバー部材の前記マイクロホンと対向する位置には、集音用の貫通穴が形成されていることを特徴とする請求項１〜４の何れかに記載のヘッドセット装置用リモコン部の筐体構造。
【発明の詳細な説明】
【技術分野】
【０００１】
本発明は、携帯端末装置等に接続して使用されるヘッドセット装置におけるリモコン部の筐体構造に関するもので、特に、切り換え制御用スイッチが搭載された制御基板を両面から覆うためのベース部材及びカバー部材を備えた、ヘッドセット装置用リモコン部の筐体構造に関する。
【背景技術】
【０００２】
ヘッドセット装置は、電話機能を備えた携帯端末装置等に接続して使用されるものであり、そのリモコン部（リモートコントロール部）の筐体からは、少なくとも第１及び第２のコードが延びており、第１のコードの先端側には、携帯端末装置等に接続されるプラグが設けられ、第２のコードの先端側には、イヤホン（スピーカ）が設けられている。又、リモコン部には切り換え制御用スイッチも設けられ、このスイッチを用いることで、携帯端末装置等を操作できるようになっている。
【０００３】
例えば、携帯電話機に使用されるヘッドセット装置であって、ハンドフリー通話を可能にするものでは、音楽を聴いている時であっても、電話がかかってくると、リモコン部の切り換え制御用スイッチの押下でもって、電話音声に切り換えて通話を開始でき、逆に通話中においては、上記スイッチの押下でもって電話を切ることができるようになっている。
【０００４】
このリモコン部の筐体内には、切り換え制御用スイッチだけでなく、上記の切り換え制御を行うための制御基板が収納されている。また、通話に際しては、イヤホンだけでなくマイクロホンも必須であるが、このマイクロホンは、リモコン部の筐体内（制御基板上）や、イヤホン用のコードと並設したコードに設けられる（例えば、特許文献１参照）。
【０００５】
上記ヘッドセット装置におけるリモコン部の筐体は、制御基板が収納されるベース部材と、ベース部材の開口を塞ぐように取り付けられるカバー部材と、カバー部材に嵌合され、制御基板上の切り換え制御用スイッチを押下する押釦部材とで構成されている。
【先行技術文献】
【特許文献】
【０００６】
【特許文献１】特開平５−１０３０６３号公報
【発明の概要】
【発明が解決しようとする課題】
【０００７】
上記従来技術のリモコン部において、筐体の組み立ては、制御基板を保持したベース部材にカバー部材を装着するとともに、切り換え制御用スイッチに対向するように、押釦部材をカバー部材に嵌合させることにより行っている。
【０００８】
この従来構成においては、ベース部材と、カバー部材と、押釦部材とは、独立部品であり、別々に製造しなければならなかった。また、こられの組み立て作業も面倒であった。このため、リモコン部の製造コストが高くなるという問題があった。
【０００９】
本発明は、リモコン部の製造コストを低減できるヘッドセット装置用リモコン部の筐体構造を実現しようとするものである。
【課題を解決するための手段】
【００１０】
上記課題を解決する請求項１に係る発明は、切り換え制御用スイッチが搭載された制御基板を両面から覆うためのベース部材及びカバー部材を備えた、ヘッドセット装置用リモコン部の筐体構造であって、前記ベース部材及び前記カバー部材の何れか一方には、前記切り換え制御用スイッチに対向する位置に開口部が設けられ、押釦部材が、該開口部を通して外側から前記切り換え制御用スイッチを押下可能に配置され、前記ベース部材と前記カバー部材とが、折曲可能な第１の薄肉ヒンジ部でもって一体につながれるとともに、前記ベース部材及び前記カバー部材の何れか一方の部材と前記押釦部材とが、折曲可能な第２の薄肉ヒンジ部でもって一体につながれた状態の一部品として、前記ベース部材と前記カバー部材と前記押釦部材とが一体に形成され、前記ベース部材と前記カバー部材とは第１の係止爪にて折り畳み状態に保持され、前記ベース部材及び前記カバー部材の何れか一方の部材と前記押釦部材とは第２の係止爪にて折り畳み状態に保持され、前記第２の係止爪は、前記第２の薄肉ヒンジ部の弾性力でもって前記押釦部材が前記切り換え制御用スイッチから離れたオフ位置と、前記押釦部材が前記切り換え制御用スイッチを押下したオン位置との間で、前記押釦部材が移動することを許容する、ヘッドセット装置用リモコン部の筐体構造である。
【００１１】
この発明において、ベース部材とカバー部材と押釦部材とが一体に形成されており、組み立て時は、ベース部材とカバー部材とは第１の係止爪にて折り畳み状態に保持され、ベース部材及びカバー部材の何れか一方の部材と押釦部材とは第２の係止爪にて折り畳み状態に保持される。この状態で、押釦部材は押下方向に移動可能であり、押釦部材を押下すれば、切り換え制御用スイッチをオンにすることができる。
【００１２】
又、請求項２に係る発明は、請求項１に係る発明において、前記ベース部材と前記カバー部材とは直線近似の基本形状が等脚台形であり、等脚台形の下底部分に、前記ベース部材と前記カバー部材とをつなぐ前記第１の薄肉ヒンジ部が形成され、上底部分に、前記ベース部材及び前記カバー部材の何れか一方の部材と前記押釦部材とをつなぐ前記第２の薄肉ヒンジ部が形成され、前記ベース部材及び前記カバー部材の何れか一方の部材の脚部分に、前記ベース部材と前記カバー部材とを係止する前記第１の係止爪が形成され、さらに、携帯端末装置に接続されるプラグが先端側に設けられた第１のコードと、イヤホンが先端側に設けられた第２のコードとを通すための挿通溝が、下底部分に沿って形成されていることを特徴とするものである。
【００１３】
この発明において、組み立て時に、ベース部材とカバー部材とは、下底部分の第１の薄肉ヒンジ部で折り畳まれ、ベース部材及びカバー部材の何れか一方の部材と押釦部材とは、上底部分の第２の係止爪にて折り畳まれ、脚部分にてベース部材とカバー部材が係止される。
【００１４】
請求項３に係る発明は、切り換え制御用スイッチが搭載された制御基板を両面から覆うためのベース部材及びカバー部材を備えた、ヘッドセット装置用リモコン部の筐体構造であって、前記前記カバー部材には、前記切り換え制御用スイッチに対向する位置に押釦部が設けられ、前記ベース部材と前記カバー部材とが、折曲可能な第１の薄肉ヒンジ部でもって一体につながれた状態の一部品として、前記ベース部材と前記カバー部材とが一体に形成され、前記ベース部材と前記カバー部材とは第１の係止爪にて折り畳み状態に保持され、該第１の係止爪は、前記第１の薄肉ヒンジ部の弾性力でもって前記カバー部材の押釦部が前記切り換え制御用スイッチから離れたオフ位置と、前記カバー部材の押釦部が前記切り換え制御用スイッチを押下したオン位置との間で、前記カバー部材が移動することを許容する、ヘッドセット装置用リモコン部の筐体構造である。
【００１５】
この発明において、ベース部材とカバー部材とが一体に形成されており、組み立て時は、ベース部材とカバー部材とは第１の係止爪にて折り畳み状態に保持される。この状態で、カバー部材は押下方向に移動可能であり、カバー部材を押下すれば、押釦部にて切り換え制御用スイッチをオンにすることができる。
【００１６】
又、請求項４に係る発明は、請求項３に係る発明において、前記ベース部材と前記カバー部材とは直線近似の基本形状が等脚台形であり、下底部分に、前記ベース部材と前記カバー部材とをつなぐ前記第１の薄肉ヒンジ部が形成され、前記ベース部材及び前記カバー部材の何れか一方の部材の上底部分及び脚部分に、前記ベース部材と前記カバー部材とを係止する前記第１の係止爪が形成され、さらに、携帯端末装置に接続されるプラグが先端側に設けられた第１のコードと、イヤホンが先端側に設けられた第２のコードとを通すための挿通溝が、下底部分に沿って形成されていることを特徴とするものである。この発明において、組み立て時に、ベース部材とカバー部材とは、下底部分の第１の薄肉ヒンジ部で折り畳まれる。
【００１７】
請求項５に係る発明は、請求項１〜４の何れかに記載の発明において、一方の面に前記切り換え制御用スイッチが実装されるとともに他方の面にはマイクロホンが実装された制御基板を、収納対象の前記制御基板とし、前記ベース部材又は前記カバー部材の前記マイクロホンと対向する位置には、集音用の貫通穴が形成されていることを特徴とするものである。
【発明の効果】
【００１８】
請求項１に係る発明によれば、ベース部材とカバー部材と押釦部材とが一体に形成されているため、部品点数や製造工程を削減でき、製造コストを低減できる。しかも、組み立て時は、ベース部材とカバー部材とは第１の係止爪により容易に折り畳み状態に保持でき、ベース部材及びカバー部材の何れか一方の部材と押釦部材とは第２の係止爪にて容易に折り畳み状態に保持でき、同時に、押釦部材を押下方向に移動可能に構成できるため、組み立ても容易であり、この点からも製造コストを低減できる。
【００１９】
請求項２に係る発明によれば、組み立て時に、ベース部材とカバー部材とは、下底部分の第１の薄肉ヒンジ部で折り畳まれ、脚部分にてベース部材とカバー部材が係止されるため、ベース部材とカバー部材との安定した嵌合状態を確保可能である。又、第１の薄肉ヒンジ部と第２の薄肉ヒンジ部とが平行であるため、ベース部材とカバー部材と押釦部材との折り畳み作業が容易である。
【００２０】
請求項３に係る発明によれば、ベース部材とカバー部材とが一体に形成されているため、部品点数や製造工程を削減でき、製造コストを低減できる。しかも、組み立て時は、ベース部材とカバー部材とは第１の係止爪により容易に折り畳み状態に保持でき、同時に、カバー部材の押釦部を押下方向に移動可能に構成できるため、組み立ても容易であり、この点からも製造コストを低減できる。
【００２１】
請求項４に係る発明によれば、組み立て時に、ベース部材とカバー部材とは、下底部分の第１の薄肉ヒンジ部で折り畳まれ、脚部分にてベース部材とカバー部材が係止されるため、ベース部材とカバー部材との安定した嵌合状態を確保可能である。
【００２２】
請求項５に係る発明によれば、制御基板を小さくでき、ベース部材とカバー部材の平面形状を小さくできる
【図面の簡単な説明】
【００２３】
【図１】本発明の第１の実施の形態例における展開状態斜視図である。
【図２】図１の形態例における組み立て手順を示す図である。
【図３】図２（ｅ）の切断線Ａ−Ａにおける断面を概念的に示した図である。
【図４】図３において押釦部材を押下した状態を示す概略断面図である。
【図５】本発明の第２の実施の形態例における展開状態斜視図である。
【図６】図５の形態例における組み立て手順を示す図である。
【図７】図５（ｃ）の切断線Ｂ−Ｂにおける断面を概念的に示した図である。
【図８】図７においてカバー部材を押下した状態を示す概略断面図である。
【発明を実施するための形態】
【００２４】
（第１の実施の形態例）
まず、図１〜図４を用いて本発明の第１の実施の形態例を説明する。ベース部材１０及びカバー部材２０は、切り換え制御用スイッチ４１が搭載された制御基板４０を両側から覆うように配置されるものである。図２〜図４には、理解を容易にするために、制御基板４０をも図示した。なお本形態例は、携帯電話機に使用されるヘッドセット装置用リモコン部の筐体構造に関するもので、制御基板４０のカバー部材２０側の面には切り換え制御用スイッチ４１が実装され、ベース部材１０側の面にはマイクロホン４２が実装されている。また、ベース部材１０のマイクロホン４２と対向する位置には、集音用の貫通穴１７が形成されている。
【００２５】
ベース部材１０及びカバー部材２０は、直線近似の基本形状が等脚台形であり、等脚台形の下底部分に、ベース部材１０とカバー部材２０とをつなぐ第１の薄肉ヒンジ部５０が形成され、上底部分に、ベース部材１０と押釦部材３０とをつなぐ第２の薄肉ヒンジ部６０が形成されている。また、ベース部材１０の脚部分に、ベース部材１０とカバー部材２０とを折り畳み状態に係止するための第１の係止爪１１，１２が形成され、カバー部材２０には、第１の係止爪１１，１２と嵌合する係止穴２２，２３が形成されている。
【００２６】
第１の係止爪１１，１２は、一般的な形状を有するもので、先端部分がＬ字形をしており、先端面は係止穴２２，２３の壁部に摺接する傾斜面となっている。そして、係止穴２２，２３への挿入時に、進入方向と交差する方向に一度退避するように弾性変形し、先端部分の通過後、元に戻って、係止穴２２，２３にＬ字形先端部分が係合し、第１の係止爪１１，１２が抜け止め状態で係止されるものである。
【００２７】
さらに、ベース部材１０には、携帯端末装置に接続されるプラグが先端側に設けられた第１のコード（図示せず）と、イヤホンが先端側に設けられた第２のコード（図示せず）とをそれぞれ通すための挿通溝１３，１４が、ベース部材１０の下底部分に沿って形成されている。カバー部材２０にも、同様な挿通溝が形成されている。
【００２８】
矩形の制御基板４０には、対角位置に一対の位置決め用穴が穿設されており、この穴にベース部材１０の突起１５，１６を圧入することにより、制御基板４０がベース部材１０の中央部に取り付けられ、さらに、ベース部材１０及びカバー部材２０に挟持される。
【００２９】
カバー部材２０には、切り換え制御用スイッチ４１に対向する位置に開口部２１が設けられており、この開口部２１を通して、押釦部材３０の突起３１がカバー部材２０の外側から切り換え制御用スイッチ４１を押下できるようになっている。
【００３０】
ベース部材１０と押釦部材３０とは、押釦部材３０上に設けられた第２の係止爪３２にて折り畳み状態に保持される。上記開口部２１はこの第２の係止爪３２と嵌合する係止穴の機能も有している。カバー部材２０と押釦部材３０とは、押釦部材３０上に設けられた第２の係止爪３２（第１の係止爪１１，１２と同様な形状を有している）にて折り畳み状態に保持されるが、第２の係止爪３２の場合は、カバー部材２０に対して一定の遊びをもって係合している。
【００３１】
すなわち、押釦部材３０が、第２の薄肉ヒンジ部６０の弾性力でもって切り換え制御用スイッチ４１から離れたオフ位置と、突起３１が切り換え制御用スイッチ４１を押下したオン位置との間で、移動できるように、第２の係止爪３２はカバー部材２０に対して一定の遊びをもって係合している。そのため、オフ位置の押釦部材３０は押下方向に移動可能であり、押釦部材３０を押下すれば、切り換え制御用スイッチ４１をオンにすることができる。
【００３２】
このように、ベース部材１０とカバー部材２０とが、折曲可能な第１の薄肉ヒンジ部５０でもって一体につながれるとともに、ベース部材１０と押釦部材３０とが、折曲可能な第２の薄肉ヒンジ部６０でもって一体につながれたことにより、ベース部材１０，カバー部材２０及び押釦部材３０は合成樹脂等でなる一部品として一体に構成されたことになる。
【００３３】
そして、その組み立て手順は、図２に示す通りである。すなわち、制御基板４０や等をセット後（図２（ａ））、カバー部材２０を起こして（図２（ｂ））、ベース部材１０に重ね、ベース部材１０とカバー部材２０とを、第１の係止爪１１，１２にて折り畳み状態に保持する（図２（ｃ））。次に、押釦部材３０を起こして（図２（ｄ））、カバー部材２０に重ね、押釦部材３０とカバー部材２０とを、第２の係止爪３２にて折り畳み状態に保持する（図２（ｅ））。
【００３４】
この形態例によれば、ベース部材１０とカバー部材２０と押釦部材３０とが一体に形成されているため、部品点数や製造工程を削減でき、製造コストを低減できる。しかも、組み立て時は、ベース部材１０とカバー部材２０とは第１の係止爪１１，１２により容易に折り畳み状態に保持でき、カバー部材２０と押釦部材３０とは第２の係止爪３２にて容易に折り畳み状態に保持でき、同時に、押釦部材３０を押下方向に移動可能に構成できるため、組み立ても容易であり、この点からも製造コストを低減できる。
【００３５】
さらに、組み立て時に、ベース部材１０とカバー部材２０とは、等脚台形の下底部分の第１の薄肉ヒンジ部５０で折り畳まれ、脚部分にてベース部材１０とカバー部材２０が第１の係止爪１１，１２により係止されるため、ベース部材１０とカバー部材２０との安定した嵌合状態を確保可能である。又、第１の薄肉ヒンジ部５０と第２の薄肉ヒンジ部６０とが平行であるため、ベース部材１０とカバー部材２０と押釦部材３０の折り畳み作業が容易であり、この点からも製造コストを低減できる。
（第２の実施の形態例）
図５〜図８を用いて本発明の第２の実施の形態例を説明する。図５〜図８において、図１〜図４（第１の実施の形態例）と共通する部分には、同一符号を付し、その説明を一部省略する。
【００３６】
本形態例でも、ベース部材１０及びカバー部材２０は、切り換え制御用スイッチ４１が搭載された制御基板４０を両側から覆うように配置される。また、本形態例も、携帯電話機に使用されるヘッドセット装置用リモコン部の筐体構造に関するものであるため、制御基板４０のカバー部材２０側の面には切り換え制御用スイッチ４１が実装され、ベース部材１０側の面にはマイクロホン４２が実装されている。ベース部材１０のマイクロホン４２と対向する位置には、集音用の貫通穴１７が形成されている。
【００３７】
ベース部材１０及びカバー部材２０は、直線近似の基本形状が等脚台形であり、等脚台形の下底部分に、ベース部材１０とカバー部材２０とをつなぐ第１の薄肉ヒンジ部５０が形成されている。第１の実施の形態例とは異なり、上底部分には、第２の薄肉ヒンジ部や押釦部材は設けられていない。一方、カバー部材２０には、切り換え制御用スイッチ４１に対向する位置に突起状の押釦部２９が設けられており、この押釦部２９で切り換え制御用スイッチ４１を押下できるようになっている。
【００３８】
ベース部材１０には、、第１の実施の形態例と同様、携帯端末装置に接続されるプラグが先端側に設けられた第１のコード（図示せず）と、イヤホンが先端側に設けられた第２のコード（図示せず）とをそれぞれ通すための挿通溝１３，１４が、ベース部材１０の下底部分に沿って形成されている。カバー部材２０にも、同様な挿通溝が形成されている。
【００３９】
矩形の制御基板４０には、対角位置に一対の位置決め用穴が穿設されており、この穴にベース部材１０の突起１５，１６を圧入することにより、制御基板４０がベース部材１０の中央部に取り付けられ、さらに、ベース部材１０及びカバー部材２０に挟持される。
【００４０】
本形態例のベース部材１０には、ベース部材１０とカバー部材２０とを折り畳み状態に係止するための第１の係止爪が３個設けられている。すなわち、ベース部材１０の脚部分に第１の係止爪１１，１２が形成され、上底部分に第１の係止爪１８が設けられている。カバー部材２０には、第１の係止爪１１，１２，１８と嵌合する係止穴２２，２３，２８が形成されている。
【００４１】
第１の係止爪１１，１２，１８は、一般的な形状を有するもので、先端部分がＬ字形をしており、先端面は係止穴２２，２３，２８の壁部に摺接する傾斜面となっている。そして、係止穴２２，２３への挿入時に、進入方向と交差する方向に一度退避するように弾性変形し、先端部分の通過後、元に戻って、係止穴２２，２３，２８にＬ字形先端部分が係合し、第１の係止爪１１，１２，１８が抜け止め状態で係止されるものである。
【００４２】
本形態例では、第１の係止爪１１，１２，１８がカバー部材２０に対して一定の遊びをもって係合している。すなわち、カバー部材２０が、第１の薄肉ヒンジ部５０の弾性力でもって切り換え制御用スイッチ４１から離れたオフ位置と、押釦部２９が切り換え制御用スイッチ４１を押下したオン位置との間で、移動できるように、第１の係止爪１１，１２，１８はカバー部材２０に対して一定の遊びをもって係合している。そのため、オフ位置のカバー部材２０は押下方向に移動可能であり、カバー部材２０を押下すれば、切り換え制御用スイッチ４１をオンにすることができる。
【００４３】
このように、ベース部材１０と押釦付きカバー部材２０とが、折曲可能な第１の薄肉ヒンジ部５０でもって一体につながれたことにより、ベース部材１０及びカバー部材２０は一部品として一体に構成されたことになる。
【００４４】
そして、その組み立ては、図６に示す通りである。すなわち、制御基板４０や等をセット後（図６（ａ））、カバー部材２０を起こして（図２（ｂ））、ベース部材１０に重ね、ベース部材１０とカバー部材２０とを、第１の係止爪１１，１２，１８にて折り畳み状態に保持する（図２（ｃ））ことにより完了する。
【００４５】
この形態例によれば、ベース部材１０と押釦付きカバー部材２０とが一体に形成されているため、部品点数や製造工程を削減でき、製造コストを低減できる。しかも、組み立て時は、ベース部材１０とカバー部材２０とは第１の係止爪１１，１２，１８により容易に折り畳み状態に保持でき、同時に、カバー部材２０を押下方向に移動可能に構成できるため、組み立ても容易であり、この点からも製造コストを低減できる。
【００４６】
さらに、組み立て時に、ベース部材１０とカバー部材２０とは、等脚台形の下底部分の第１の薄肉ヒンジ部５０で折り畳まれ、脚部分及び上底部分にてベース部材１０とカバー部材２０が第１の係止爪１１，１２，１８により係止されるため、ベース部材１０とカバー部材２０との安定した嵌合状態を確保可能である。
【００４７】
なお、本発明は上記形態例に限られるものではない。例えば、第１の実施の形態例において、切り換え制御用のスイッチが制御基板の反対側の面に配置された場合には、ベース部材に開口部を設ける必要があり、この場合には、押圧部材は、カバー部材に第２の薄膜ヒンジを用いてつながることになる。
【００４８】
さらに、上記二つの形態例では、係止爪をベース部材側或いは押釦部材側に設けたが、位置関係を逆にして、相手部材側に係止爪を設けてもよい。係止爪の数についても上記形態例に限るものではない。さらに、制御基板についても、カバー部材側に取り付けるようにしてもよい。
【００４９】
また、本発明の筐体構造は、上記形態例に示した制御基板だけを収納対象とするものではない。例えば、マイクロホンをリモコン部の筐体内に収納せず、イヤホン用のコードに並設したコードに設ける場合もある。
【００５０】
さらに、上記形態例の説明においては、ベース部材及びカバー部材の直線近似の基本形状が等脚台形であると表現したが、この意味は厳格なものではなく、上記形態例での形状からも明らかなように、上底部分や脚部分がなだらかに湾曲した形状をも包含するものである。
【符号の説明】
【００５１】
１０ ： ベース部材
１１，１２，１８ ： 係止爪
１５ ： 突起
２０ ： カバー部材
２１ ： 開口部
２２，２３，２８ ： 係止穴
２９ ： 押釦部
３０ ： 押釦部材
３１ ： 突起
３２ ： 係止爪
４０ ： 制御基板
４１ ： 切り換え制御用スイッチ
４２ ： マイクロホン
５０ ： 第１の薄肉ヒンジ部
６０ ： 第２の薄肉ヒンジ部
【図１】
2013093153.tif 000003
【図２】
2013093153.tif 000004
【図３】
2013093153.tif 000005
【図４】
2013093153.tif 000006
【図５】
2013093153.tif 000007
【図６】
2013093153.tif 000008
【図７】
2013093153.tif 000009
【図８】
2013093153.tif 000010